(57)【特許請求の範囲】
【請求項１】
試薬、標準液及び精度管理試料を用いて、検体を分析する分析部と、
上記試薬、標準液及び精度管理試料の上記分析部における、使用した時間領域を含む使用結果と、上記検体の分析結果とを記憶する記憶装置と、
表示部と、
操作者の指令を入力する操作入力部と、
上記記憶装置に記憶された上記試薬、標準液及び精度管理試料の使用結果並びに上記検体の分析結果のうち、上記操作入力部からの指令に従って選択した試薬を使用した時間領域を上記表示部に表示させ、この試薬の使用時間領域内に、上記試薬、標準液及び精度管理試料を使用して分析した検体の分析結果を表示させる表示制御部と、
を備えることを特徴とする自動分析装置。
【請求項２】
請求項１に記載の自動分析装置において、
上記表示制御部は、上記試薬の使用時間領域内に、使用した標準液及び精度管理試料の使用時間領域を表示させ、
上記試薬の使用時間領域、上記標準液の使用時間領域、及び上記精度管理試料の使用時間領域のそれぞれは、互いに異なる強調表示が行われることを特徴とする自動分析装置。
【請求項３】
請求項２に記載の自動分析装置において、
上記表示制御部は、上記試薬の使用時間領域内に、上記使用した標準液の使用時間領域を表示させ、上記標準液の使用時間領域内に精度管理試料の使用時間領域を表示させることを特徴とする自動分析装置。
【請求項４】
請求項３に記載の自動分析装置において、
上記表示制御部は、上記試薬、上記標準液及び上記精度管理試料のコード及びロットが同一か否かを区別するための予め定められたマークを表示することを特徴とする自動分析装置。
【請求項５】
請求項４に記載の自動分析装置において、
上記表示制御部は、使用した上記試薬のコード、ロット、有効期限及び使用開始日時と、上記使用した標準液のコード、ロット、有効期限及び測定日時と、上記使用した精度管理試料と次に測定した精度管理試料のコード、ロット、有効期限及び測定日時と、上記検体のＩＤ、測定日時及び測定結果と、を数字で表示する測定情報表示領域を上記試薬の使用時間領域、上記標準液の使用時間領域及び上記精度管理試料の使用時間領域と共に表示させることを特徴とする自動分析装置。
【発明の詳細な説明】
【技術分野】
【０００１】
本発明は血液、尿などの試料の定性・定量分析を行う自動分析装置に関する。
【背景技術】
【０００２】
自動分析装置は、血液や尿等の生体試料中の成分について試薬を用いて分析する。分析処理開始、あるいは分析処理中の必要に応じて、各分析項目に対して予め定められた濃度の標準液を分析して検量線データを算出し、患者検体の測定結果は検量線データから算出する。【０００３】
自動分析装置において、患者検体の測定結果に不良が発生した場合、その原因を探索し、適切な処理を行う必要がある。【０００４】
特許文献１に記載の技術においては、データ不良が発生した場合には、条件設定ウインドウを立ち上げ、検索項目を選択し、別画面で検索結果画面を表示させ、その画面で患者ＩＤ、種別、分析項目、測定結果、アラームを表示させている。【０００５】
そして、検索結果画面に表示された内容に基づいて、洗浄プログラム等の適正な処理を行うことが特許文献１に記載されている。
【先行技術文献】
【特許文献】
【０００６】
【特許文献１】特開２００９−２８１８０２号公報
【発明の概要】
【発明が解決しようとする課題】
【０００７】
自動分析装置において、試薬や標準液の不良が原因で患者検体の測定結果に不具合を及ぼしている恐れがあることが判明した場合は、該当する試薬や標準液の使用を中止するとともに、すでに患者検体の分析に使用済みである場合は、誤診断の可能性が疑われるため早急に該当する患者検体を特定し、分析結果の信頼性を確認し、証明する必要がある。【０００８】
しかし、特許文献１に記載の技術にあっては、データ不良に至らなくとも、試薬や標準液の不良が原因で患者検体の測定結果に不具合を及ぼしている恐れがある場合、試薬または標準液の検量線データを使用した患者検体を特定するには、患者検体を１検体ずつ使用した試薬や標準液を確認する必要があり、多大な労力と時間を必要としていた。【０００９】
また、分析結果の信頼性を確認し、証明するためには、試薬のみならず、標準液、精度管理試料、検体の測定結果分布等を確認する必要があり、その作業が煩雑で、長時間を必要としていた。【００１０】
本発明の目的は、特定の試薬や標準液を使用した患者検体を迅速かつ容易に特定でき、かつ、分析結果の信頼性の確認及び証明を容易に行うことが可能な自動分析装置を実現することである。
【課題を解決するための手段】
【００１１】
上記目的を達成するために、本発明は次のように構成される。【００１２】
自動分析装置において、試薬、標準液及び精度管理試料を用いて、検体を分析する分析部と、上記試薬、標準液及び精度管理試料の上記分析部における、使用した時間領域を含む使用結果と、上記検体の分析結果とを記憶する記憶装置と、  表示部と、操作者の指令を入力する操作入力部と、上記記憶装置に記憶された上記試薬、標準液及び精度管理試料の使用結果並びに上記検体の分析結果のうち、上記操作入力部からの指令に従って選択した試薬を使用した時間領域を上記表示部に表示させ、この試薬の使用時間領域内に、上記試薬、標準液及び精度管理試料を使用して分析した検体の分析結果を表示させる表示制御部と、を備える。
【発明の効果】
【００１３】
本発明によれば、特定の試薬や標準液を使用した患者検体を迅速かつ容易に特定でき、かつ、分析結果の信頼性の確認及び証明を容易に行うことが可能な自動分析装置を実現することができる。
【図面の簡単な説明】
【００１４】
【図１】本発明の一実施例による測定トレース画面を示す図である。
【図２】本発明が適用される自動分析装置の原理的な全体構成概略図である。
【図３】抽出ボタンを押すと表示される抽出画面を示す図である。
【図４】患者検体ボタンを押すと表示される患者検体画面を示す図である。
【図５】検索ボタンを押すと表示される検索画面を示す図である。
【図６】測定トレース画面を表示する動作フローチャートである。
【図７】図６に示したプロットマーク決定の動作を示すフローチャートである。
【図８】プロットをマウスで試薬、標準液、精度管理試料を使用して測定した領域の測定情報、及び患者検体の測定情報を表示するフローチャートである。
【図９】操作部（表示制御部）の表示制御についての機能ブロック図である。
【発明を実施するための形態】
【００１５】
以下、本発明の実施形態について、添付図面を参照して説明する。
【実施例】
【００１６】
図２は、本発明が適用される自動分析装置の原理的な全体構成概略図である。【００１７】
図２において、２−１は操作部（表示制御部でもある）であり、操作部２−１は、データを入力するためのキーボード２−２、マウス２−３、データを表示するための表示装置２−４、データを印刷するための印刷装置２−５、分析部と接続するためのインタフェース２−６、及び測定トレース情報等を記憶するための記憶装置２−７等の周辺機器を有するコンピュータである。【００１８】
２−８は分析部であり、インタフェース２−６を介して操作部２−１と接続している。分析部２−８において、２−９は反応ディスクであり、その同心円周上に反応容器２−１０が複数個設置されている。２−１１は試薬ディスクであり、その同心円周上に種々の試薬が入った試薬ボトル２−１２が複数個設置されている。反応ディスク２−９の周囲には、攪拌装置２−１３、洗浄装置２−１４、光源２−１５、多波長光度計２−１６が、各々配置されている。【００１９】
反応ディスク２−９と試薬ディスク２−１１との間には、試薬分注プローブ２−１７が配置されている。ラック２-１９は、ラック搬送ベルト２-２１の上を移動する。試料を入れた試料容器２-２０は、ラック２−１９の中に複数個設置されている。反応ディスク２−９とラック搬送ベルト２-２１の間には、試料分注プローブ２−１８が配置されている。これらの機構動作はすべて、インタフェース２−２２を介してコンピュータ２−２３により制御されている。【００２０】
操作者は、操作部２−１の表示装置２−４と、キーボード２−２、または、マウス２−３を使って測定項目を依頼し分析部２−８に測定指示を与える。測定指示はインタフェース２−６を介して分析部２−８に送信される。分析部２−８は受信した測定指示に従い、次のように測定動作を行う。【００２１】
試料分注プローブ２−１８が、試料容器２−２０の中に入った試料を依頼された項目数分、それぞれの所定量を反応容器２−１０に分注する。ひとつの試料容器２−２０に対する分注を完了したら、次の試料容器２−２０が試料分注プローブ２−１８の真下に来るようにラック搬送ベルト２−２１がラック２−１９を移動する。試料を分注された反応容器２−１０は反応ディスク２−９の回転動作により、反応ディスク２−９上を回転移動する。【００２２】
その間に、反応容器２−１０の中の試料に対し、試薬分注プローブ２−１７による試薬ボトル２−１２内の試薬の分注、攪拌装置２−１３による反応液の攪拌、光源２−１５、及び多波長光度計２−１６による吸光度の測定が行われ、その後に、洗浄装置２−１４によって測定の終了した反応容器２−１０が洗浄される。【００２３】
測定された吸光度信号はＡ／Ｄコンバータ２−２４を経由し、インタフェース２−２２を介してコンピュータ２−２３へ供給される。この吸光度信号から、あらかじめ測定項目ごとに設定された分析法に基づき、標準液の場合は設定された濃度データから検量線データが算出され、患者検体及び精度管理試料の場合は標準液の測定で得られる検量線データから濃度データが算出される。【００２４】
これらのデータは測定結果としてＩＤ／コード、ロット、有効期限、測定日時を付加した後、インタフェース２−６を介して操作部２−１に送信され、記憶装置２−７へ記憶するとともに印刷装置２−５で印刷される。【００２５】
以上の動作、操作を行う自動分析装置において、試薬や標準液が原因で誤診断の可能性が疑われる患者検体の特定は表示装置２−４と、キーボード２−２、マウス２−３を使用して行う。【００２６】
図１は、本発明の一実施例による測定トレース画面を示す図である。この測定トレース画面は、表示装置２−４の画面で指定することにより、それまで表示されていた画面に代えて表示される。測定トレース画面は、指定した測定項目について試薬の使用開始、標準液の測定、精度管理試料の測定、患者検体の測定を時系列にチャート表示する画面である。【００２７】
図１において、キーボード２−２又はマウス２−３を用いて操作者が、項目名コンボボックス１−１で測定項目を選択すると、チャート表示エリア１−２に選択した測定項目の測定状況を時系列にチャート表示し、試薬の使用開始、標準液の測定、精度管理試料の測定、患者検体の測定をプロットする。【００２８】
表示するプロットマーク１−１０は、試薬、標準液、精度管理試料の管理情報であるコード、ロットが前回使用したものと同じか異なるかで決まる。[同]マークである黒い丸印は、コード、ロットとも同じであり、同じ試薬、標準液、精度管理試料であることを表す。[異ロット]マークである黒い三角印は、コードは同じであるがロットが異なるため、別ロットの試薬、標準液、精度管理試料であることを表す。[異コード]マークである黒い四角印は、コードが異なるため、別の試薬、標準液、精度管理試料であることを表す。【００２９】
チャート表示エリア１−２内のすべてのプロットはマウス２−３で選択可能であり、マウス２−３選択したプロットの試薬、標準液、精度管理試料を使用して測定した領域の測定情報を表示する。【００３０】
図１のチャート表示エリア１−２は、試薬の使用開始プロット１−３、標準液の測定プロット１−５、精度管理試料の測定プロット１−７、または、患者検体の測定プロット１−９を選択した場合の領域表示である。【００３１】
プロット１−３は試薬の使用開始を表す。試薬使用領域（試薬使用時間領域）１−４は、プロット１−３で示した試薬を使い始めた時点から次の試薬を使い始めた時点までの期間を表す。このため、試薬使用領域１−４の使用終了時は、[異ロット]マークである黒い三角印が表示されている。すなわち、試薬使用領域（試薬使用時間領域）は、試薬ボトルが変更されるまでの時間領域を示す。【００３２】
試薬使用領域１−４内に含まれる標準液、精度管理試料、患者検体は、同じ試薬を使用して測定したことを示す。プロット１−５は標準液での検量線データ作成を表す。標準液使用領域（標準液使用時間領域）１−６は、プロット１−５で示した標準液で検量線データを作成した時点から次の標準液で検量線データを作成した時点までを表す。このため、標準液使用領域１−６の使用終了時は、[異ロット]マークである黒い三角印が表示されている。それに続く黒い丸印は前述のように前回使用したものと同じ精度管理試料を使用して測定したことを示す。標準液使用領域１−６の印は測定結果の値を含めて示しており、縦軸を用いて測定結果の値が表示されている。すなわち測定結果の値が大きいものは上方に小さいものは下方にプロットされる。【００３３】
この標準液使用領域１−６内に含まれる精度管理試料、患者検体は、同じ標準液の検量線データを使用して測定結果を算出したことを示す。【００３４】
プロット１−７は精度管理試料の測定を表す。精度管理試料使用領域（精度管理試料使用時間領域）１−８は、プロット１−７で示した精度管理試料を測定した時点から次に測定した時点までを表す。このため、精度管理試料使用領域１−８の使用終了時は、[異ロット]マークである黒い三角印が表示されている。【００３５】
この精度管理試料使用領域１−８領域内に含まれる患者検体は、同じ精度管理に含まれることを示す。患者検体選択マーク１−９は、現在選択している患者検体を示す。患者検体は１検体分の測定を垂直線でプロットする、垂直線の長さは測定結果の大きさを示し基準値を中心にして最大長が最大値、最小長が最小値とする。【００３６】
試薬使用領域１−４の表示領域内に、標準液使用領域１−６、精度管理試料使用領域１−８、及び患者検体の分析結果が表示されている。【００３７】
また、試薬使用領域１−４、標準液使用領域１−６、及び精度管理試料使用領域１−８のそれぞれは、互いに異なる強調表示が行われている。【００３８】
これらの表示により、プロット１−３で示した試薬を使用した標準液、精度管理試料、及び患者検体が、試薬使用領域１−４で特定できる。また、プロット１−５で示した標準液を使用した精度管理試料、及び患者検体が、標準液使用領域１−６で特定できる。【００３９】
さらに、プロット１−７で示した精度管理試料の測定後に測定した患者検体を精度管理試料使用領域１−８で特定できる。【００４０】
患者検体選択マーク１−９は、ボタン１−１１を押すと左方向へ、ボタン１−１２を押すと右方向へ移動することができる。患者検体選択マーク１−９は、その患者検体の分析結果をグラフ（棒グラフ）で概略表示されている（最大値、平均値、最小値に対してどの程度の値であるかの表示）。【００４１】
スクロールバー１−１３を移動することによって、チャート表示エリア１−２に表示するプロットの測定日を変更することができる。図１に示した例では、スクロールバー１−１３の下側に日付が表示されている。【００４２】
また、測定情報１−１４は、プロット１−３で使用開始した試薬のコード、ロット、有効期限、使用開始日時、プロット１−５で検量線データを作成した標準液のコード、ロット、有効期限、測定日時、プロット１−７で測定した精度管理試料と次に測定した精度管理試料のコード、ロット、有効期限、測定日時、患者検体選択マーク１−９で選択した患者検体のＩＤ、測定日時、測定結果を数字で表示する測定情報表示領域である。測定情報１−１４では、選択された患者検体（コード：1010534）を基準として、その前後の精度管理試料の情報、使用した標準液の情報、試薬の情報が表示される。これにより、選択された患者検体の測定結果に影響する精度管理試料、標準液、試薬の情報を容易に把握することができる。また、異なる患者検体が選択された場合には、新たに選択された患者検体に対応するその前後の精度管理試料の情報、使用した標準液の情報、試薬の情報が更新され表示される。加えて、それに対応する強調表示の領域も更新され表示される。【００４３】
抽出ボタン１−１５を押すと、図３に示した抽出画面が表示される。また、患者検体ボタン１−１６を押すと、図４に示した患者検体画面が表示される。さらに、検索ボタン１−１７を押すと、図５に示した検索画面が表示される。また、閉じるボタン１−１８を押すと、測定トレース画面が閉じられる。【００４４】
図３は、上述したように、抽出ボタン１−１５を押すと表示される抽出画面を示す図である。図３の抽出画面において、抽出対象ラジオ３−１で抽出対象である試薬、標準液及び精度管理試料のうちのいずれかを選択することができる。【００４５】
コードテキストボックス３−２には、抽出対象の管理情報であるコードを入力する。ロットテキストボックス３−３には、抽出対象の管理情報であるロットを入力する。実行ボタン３−４を入力すると、図３に示した抽出画面が閉じられ、図１の測定トレース画面に、図３に示した抽出画面で入力した抽出対象の試薬、標準液、または、精度管理試料のプロットを起点としたそれぞれの使用領域を表示する。さらに、抽出対象で使用した、または、抽出対象が使用された試薬、標準液、または、精度管理試料の使用領域も表示する。また、測定情報１−１４へ各プロットの測定情報を表示する。これらの表示により抽出対象を使用して測定した患者検体を特定することができる。【００４６】
図４は、図１に示した患者検体ボタン１−１６を押すと表示される患者検体画面を示す図である。図４において、抽出対象４−１には、図３の抽出画面で設定した抽出対象を表示する。患者検体リスト４−２には、抽出対象を使用して測定した患者検体を一覧表示する。スクロールバー４−３によって一度に表示しきれない場合でも全ての患者検体を表示することができる。閉じるボタン４−４を入力すると患者検体画面を閉じる。【００４７】
図５は、図１に示した検索ボタン１−１７を押すと表示される検索画面を示す図である。図５において、患者ＩＤテキストボックス５−１には、検索対象の患者ＩＤを入力する。実行ボタン５−２を入力すると検索画面を閉じて図１の測定トレース画面で検索した検体を選択患者検体マーク１−９で、患者検体の測定に使用した試薬、標準液、精度管理試料の使用領域を表示する。さらに、測定情報１−１４へ各プロットの測定情報を表示する。これらの表示により検索対象の患者検体の測定に使用した試薬、標準液、精度管理試料を特定することができる。取消ボタン５−３を入力すると検索画面を閉じる。【００４８】
図６は、上述した測定トレース画面を表示する動作フローチャートである。【００４９】
操作者により測定トレース画面表示が指示されると表示装置２−４に測定トレース画面が表示される（ステップＳ１）。次に、操作部２−１は、記憶装置２−７に記憶された測定トレース情報から古い順に情報を取得し（ステップＳ２）、情報の種類を判断する（ステップＳ３）。【００５０】
ステップＳ３において、情報の種類が試薬であれば、上述したプロットマークを決定し（ステップＳ４）、領域強調表示を設定し（ステップＳ５）、マークをプロットする（ステップＳ６）。【００５１】
同様に、ステップＳ３において、情報の種類が標準液又は精度管理試料であれば、それぞれ、上述したプロットマークを決定し（ステップＳ８、Ｓ１０）、領域強調表示を設定し（ステップＳ９、Ｓ１１）、マークをプロットする（ステップＳ６）。【００５２】
また、ステップＳ３において、情報の種類が患者検体であれば、患者の測定結果を取得し（ステップＳ１２）、垂直線をプロットする（ステップＳ１３）。【００５３】
そして、トレース情報が全てにプロット済みであるか否かを判断し、未プロットが在れば、ステップＳ２に戻る。トレース情報が全てにプロット済みであれば、最初の試薬プロットをマウス選択したものとして領域を表示する（ステップＳ１４）。【００５４】
図７は、図６に示したステップＳ４、Ｓ８、Ｓ１０のプロットマーク決定の動作を示すフローチャートである。【００５５】
図７のステップＳ２１において、前回表示したプロットの情報と今回表示するプロットの情報から、コードとロットの情報を取得する。【００５６】
次に、前回のコードと今回コードとを比較し（ステップＳ２２）、互いに異なっている場合は黒い四角印のマークと判断し（ステップＳ２３）し、プロットマークが決定される（ステップＳ２５）。【００５７】
ステップＳ２２において、前回のコードと今回コードが互いに異なる場合は、前回のロットと今回ロットとを比較し（ステップＳ２６）、異なる場合は黒い三角印のマークと判断し（ステップＳ２７）し、プロットマークが決定される（ステップＳ２５）。【００５８】
ステップＳ２６において、前回のロットと今回ロットが同じである場合は黒い丸印のマークと判断し（ステップＳ２８）し、プロットマークが決定される（ステップＳ２５）。【００５９】
図８は、上述したプロットをマウス２−３で試薬、標準液、精度管理試料を使用して測定した領域の測定情報、及び患者検体の測定情報を表示するフローチャートである。【００６０】
図８のステップＳ３１において、プロットの種類（試薬、標準液、精度管理試料、患者検体）を選択する。選択したプロットの種類が試薬の場合は、選択した試薬プロットＡとその次の試薬プロットＢで試薬使用領域を表示し（ステップＳ３２）、最初に試薬プロットＡを使用した標準液プロットＡとその次の標準液プロットＢで標準液の使用領域を表示する（ステップＳ３３）。【００６１】
次に、最初に標準液プロットＡの検量線データを使用した精度管理試料プロットとその次の精度管理試料プロットで精度管理試料の使用領域を表示する（ステップＳ３４）。【００６２】
そして、試薬プロットＡの測定情報が測定情報１−１４に表示する（ステップＳ４４）。なお、測定情報１−１４には、以前の情報が表示されており、マウス２−３により上記動作を行うことにより、表示される情報が変更される（試薬のみならず、標準液、精度管理試料、患者検体も同様である）。【００６３】
選択したプロットの種類が標準液の場合は、選択した標準液プロットで使用した試薬プロットＡとその次の試薬プロットＢで試薬使用領域を表示し（ステップＳ３５）、選択した標準液プロットＡとその次の標準液プロットＢで標準液の使用領域を表示する（ステップＳ３６）。【００６４】
次に、最初に標準液プロットＡの検量線データを使用した精度管理試料プロットとその次の精度管理試料プロットで精度管理試料の使用領域を表示し（ステップＳ３７）、標準液プロットＡの測定情報が測定情報１−１４に表示する（ステップＳ４４）。【００６５】
選択したプロットの種類が精度管理試料の場合は、選択した精度管理試料プロットで使用した試薬プロットＡとその次の試薬プロットＢで試薬使用領域を表示し（ステップＳ３８）、選択した精度管理試料プロットで使用した標準液プロットＡとその次の標準液プロットＢで標準液の使用領域を表示する（ステップＳ３９）。【００６６】
次に、選択した精度管理試料プロットＡとその次の精度管理試料プロットＢで精度管理試料の使用領域を表示し（ステップＳ４０）、精度管理試料Ａ及びＢの測定情報が測定情報１−１４に表示する（ステップＳ４４）。【００６７】
選択したプロットの種類が患者検体の場合は、選択した患者検体プロットで使用した試薬プロットＡとその次の試薬プロットＢで試薬使用領域を表示し（ステップＳ４１）、選択した患者検体プロットで使用した標準液プロットＡとその次の標準液プロットＢで標準液の使用領域を表示する（ステップＳ４２）。【００６８】
次に、選択した患者検体プロットＡの直前に測定した精度管理試料のプロットＡとその次の精度管理試料プロットＢで精度管理試料の使用領域を表示し（ステップＳ４３）、検体患者Ａの測定情報を測定情報１−１４に表示する（ステップＳ４４）。【００６９】
図９は、図６、図７、図８に示した動作を実行するための、操作部（表示制御部）２−１の表示制御についての機能ブロック図である。【００７０】
図９において、操作部２−１は、選択プロット２１１と、測定情報抽出部２１２と、プロットマーク決定部２１３と、領域強調表示設定部２１４と、マークプロット部２１５とを備える。【００７１】
選択プロット判断部２１１は、マウス２−３からの指令に従って、選択されたプロットが何であるかを判断し、判断結果を測定情報抽出部２１２に供給する。測定情報抽出部２１２は、キーボード２−２又は選択プロット判断部２１１からの情報に従って測定情報を記憶装置２−７から抽出し、プロットマーク決定部２１３、領域強調表示設定部２１４に抽出した情報を供給する。また、測定情報抽出部２１２は、抽出した情報を表示部２−４に供給する。表示部２−４は、測定情報抽出部２１２からの情報に従って測定情報１−１４を表示する。【００７２】
プロットマーク決定部２１３は、測定情報抽出部２１３からの測定情報に従ってプロットマークを何にするかを決定し、決定したプロットマークを領域強調表示設定部２１４及びマークプロット部２１５に供給する。【００７３】
領域強調表示設定部２１４は、測定情報抽出部２１２及びプロットマーク決定部２１３からの受お方情報に基いて、試薬使用領域１−４、標準液使用領域１−６、精度管理試料使用領域１−８の強調表示を設定し、表示部２−４の強調すべき表示を制御する。【００７４】
マークプロット部２１５は、プロットマーク決定部２１３からの情報に基いて、表示部２−４の画面にマークをプロットする。【００７５】
以上のように、本発明の一実施例によれば、試薬、標準液、精度管理試料について、使用開始と終了をロットが同じであるか、コードが同じであるかも併せて図形により同一画面上に視覚的に表示すると共に、その同一画面上に、患者検体の測定開始及び終了と、測定値について図形で視覚的に表示し、かつ、図形で表示した試薬、標準液、精度管理試料、患者検体についての測定情報を数字で表示するように構成される。【００７６】
したがって、試薬、標準液が原因で測定結果に不具合を及ぼしている恐れがあることが判明した場合に、その試薬、標準液を使用して測定した患者検体を迅速かつ容易に特定することができる。さらに、精度管理試料に異常があった場合には、精度管理試料の測定後に測定した患者検体を迅速かつ容易に特定することができる。【００７７】
つまり、本発明の一実施例によれば、特定の試薬や標準液を使用した患者検体を迅速かつ容易に特定でき、かつ、分析結果の信頼性の確認及び証明を容易に行うことが可能な自動分析装置を実現することができる。
【符号の説明】
【００７８】
１−１・・・項目名コンボボックス、１−２・・・チャート表示エリア、１−３・・・試薬の使用開始プロット、１−４・・・試薬使用領域、１−５・・・標準液の測定プロット、１−６・・・標準液使用領域、１−７・・・精度管理試料の測定プロット、１−８・・・精度管理試料使用領域、１−９・・・患者検体選択マーク、１−１４・・・測定情報、２−１・・・操作部、２−２・・・キーボード。２−３・・・マウス、２−４・・・表示装置、２−５・・・印刷装置、２−６・・・インタフェース、２−７・・・記憶装置、２−８・・・分析部
【図１】
0006804547.tif 000002
【図２】
0006804547.tif 000003
【図３】
0006804547.tif 000004
【図４】
0006804547.tif 000005
【図５】
0006804547.tif 000006
【図６】
0006804547.tif 000007
【図７】
0006804547.tif 000008
【図８】
0006804547.tif 000009
【図９】
0006804547.tif 000010